(57)【要約】【課題】人の耳の形状の差異を吸収する性能を機構面から改善することによって、より多くの人にとっての装着操作性や装着快適性を向上させる。【解決手段】ヘッドセット本体１に、第１及び第２の２つの平行な軸７１，７２と連結体７とを介して耳掛け部６を取り付けることにより、耳掛け部６の開き角度を大きくして装着操作性を改善する。耳掛け部６を、外側杆部６２と弾性に優れた内側杆部６３とに分割されている閉リング状の杆体６１により形成して装着快適性を改善する。マイクアーム５をヘッドセット本体１にボールジョイント４を介して全方位回転可能に連結して使い勝手を向上させる。ヘッドセット本体１にイヤーパッド３を装備させて装着安定性を改善する。【選択図】　　　　図１
2004096339.tif 000002
【特許請求の範囲】
【請求項１】
スピーカを内蔵したヘッドセット本体に、耳介の根元部分に掛けることによって上記ヘッドセット本体の放音部を外耳道開口に臨ませる耳掛け部が取り付けられているヘッドセット装置において、
一端部がヘッドセット本体の前部に第１軸を介して起倒可能に取り付けられた連結体の他端部に、上記第１軸に対して平行な第２軸を介して耳掛け部の前部が回動可能に取り付けられていて、上記ヘッドセット本体に対する連結体の起立角度を調節することによって、ヘッドセット本体とそのヘッドセット本体に沿うように姿勢が定められた上記耳掛け部との間隔を増減調節することができるようになっていることを特徴とするヘッドセット装置。
【請求項２】
上記ヘッドセット本体とそのヘッドセット本体に沿うように姿勢が定められた上記耳掛け部との間隔寸法が、耳介の厚さに見合う寸法に定められている請求項１に記載したヘッドセット装置。
【請求項３】
上記耳掛け部が、耳介の根元部分に沿うように湾曲した合成樹脂製の杆体を有し、その杆体が、外側杆部とその外側杆部の内側に間隔を隔てて位置してその外側杆部よりも弾性に優れた内側杆部とに分割され、かつ、それらの外側杆部と内側杆部との一端部同士及び他端部同士のそれぞれが互いに連結されている請求項１又は請求項２に記載したヘッドセット装置。
【請求項４】
上記杆体は閉リング状に形成されていて、その周方向の一箇所が上記連結体の他端部に取り付けられていると共に、この杆体と上記連結体との取付け箇所の反対側部位に上記外側杆部と上記内側杆部とが位置している請求項３に記載したヘッドセット装置。
【請求項５】
上記耳掛け部を耳介の根元部分に掛けて上記ヘッドセット本体の放音部を外耳道開口に臨ませることによって口元に臨まされる集音部を有するマイクアームが、上記ヘッドセット本体に、球体と球体受部とを備えかつ球体の相対回転移動を許容しながらその球体を任意位置で固定する機能を備えるボールジョイントを介して全方位回転可能に連結されている請求項１ないし請求項４のいずれか１項に記載したヘッドセット装置。
【請求項６】
上記ボールジョイントの球体と球体受部との互いに重なりあった一対の摺動面のうちの一方がゴム質表面によって形成されている請求項５に記載したヘッドセット装置。
【請求項７】
上記ヘッドセット本体の放音部に、上記耳掛け部を耳介の根元部分に掛けて上記ヘッドセット本体の放音部を外耳道開口に臨ませたときに、外耳道開口縁に当接してヘッドセット本体の装着安定性を高めるイヤーパッドが装備されている請求項１ないし請求項６のいずれか１項に記載したヘッドセット装置。
【発明の詳細な説明】
【０００１】
【発明の属する技術分野】
本発明は、ヘッドセット装置、特に、耳掛け部を耳介の根元部分に掛けることによってヘッドセット本体の放音部を外耳道開口に臨ませるようになっているヘッドセット装置に関する。
【０００２】
【従来の技術】
従来、この種のヘッドセット装置は、ヘッドセット本体とハンガーと呼ばれる耳掛け部とが開閉可能に単一の回転軸線を持つヒンジを介して連結されていると共に、耳掛け部がばね力によって閉方向に常時付勢されていて、耳掛け部を耳介の根元部分に掛けると、ヘッドセット本体がばね力によって外耳道開口付近に押し付けられるようになっていた。
【０００３】
これに対し、特開２０００−２２４６８４号公報（先行例１）には、円弧状の耳掛けアームとドライバユニットとを、上記従来例と同様に単一の回転軸線を持つヒンジを介して連結すると共に、スナップ動作するばね体を組み付けることにより、耳掛けアームを耳介の根元部分に掛けると、ドライバユニットがばね力によって外耳道開口付近に押し付けられるようになっているヘッドホンについての記載がある。
【０００４】
また、実開平６−１９４３９号公報（先行例２）には、閉リング状の耳掛け部に具備されたまっすぐな軸部をヘッドセット本体のハウジングに一体に設けた軸受部に回転可能に取り付けて耳掛け部を開閉可能とし、かつ、上記の軸受部と軸部との間に摩擦パッドを挾み込むことによって耳掛け部を任意の開位置で位置固定できるようにしたブームホン型ヘッドセット装置についての記載がある。
【０００５】
さらに、特許第２７１３７９８号公報（先行例３）には、耳への装着感を改善することを意図して耳掛け部の三次元形状に工夫が講じられ、かつ、その耳掛け部にヘッドセット本体を玉継手を介して連結した自己支持式片耳用ヘッドセットについての記載がある。
【０００６】
ところで、ヘッドセット装置において、マイクロホンを内蔵したヘッドセット本体やそのヘッドセット本体を外耳道開口付近に保持しておくための耳掛け部には、様々な形状のものが提案されているけれども、耳に装着するときの操作性（装着操作性）や装着後の安定性・快適性（装着快適性）には大きさ差異が存在しているのが実情である。これは、人間の耳の形状（耳介やその近辺部分の形状）が人によって千差万別であるにもかかわらず、そのような耳の形状の差異が機構面で十分に吸収されていないことによると思われる。特に、片耳だけに掛けた耳掛け部によってヘッドセット本体を外耳道開口付近で支えるようになっているヘッドセット装置については、上記した従来例や先行例１のようにばね力を利用したものでは、ばね力を強くすることにより装着後の安定性を高めてヘッドセット本体を位置ずれしにくくすると、その反面で、耳介を耳掛け部が強く圧迫するようになるので装着快適性が低下する。また、特定の人について装着操作性や装着快適性が満足できるとしても、他の人にとってもそれらが満足されるということにはならないので、万人にとっての装着操作性や装着快適性を満足し得るようなヘッドセット装置は存在し得ない。
【０００７】
【発明が解決しようとする課題】
この観点から上記した従来例や先行例１〜３のものを検討してみると、従来例や先行例１、先行例２では、ただ端に単一の回転軸線を持つヒンジを介してヘッドセット本体と耳掛け部とを連結してあるだけに過ぎないので、多くの人の耳介の厚さやその近辺部分の形状の差異を吸収して装着操作性や装着快適性を向上させるということには機構的にかなりの無理がある。また、先行例３のように、耳掛け部の三次元形状に工夫を講じたとしても、多くの人の耳の形状の差異を、耳掛け部の特定の三次元形状だけによって吸収することができるものではない。
【０００８】
本発明は以上の事情に鑑みてなされたものであり、人の耳の形状の差異を吸収する性能を機構面から改善することによって、より多くの人にとっての装着操作性や装着快適性を改善することのできるヘッドセット装置を提供することを目的とする。
【０００９】
また、本発明は、より多くの人にとっての装着操作性や装着快適性を改善した上で、送話機能の使用勝手を向上させることのできるヘッドセット装置を提供することを目的とする。
【００１０】
【課題を解決するための手段】
本発明に係るヘッドセット装置は、スピーカを内蔵したヘッドセット本体に、耳介の根元部分に掛けることによって上記ヘッドセット本体の放音部を外耳道開口に臨ませる耳掛け部が取り付けられている。
【００１１】
そして、一端部がヘッドセット本体の前部に第１軸を介して起倒可能に取り付けられた連結体の他端部に、上記第１軸に対して平行な第２軸を介して耳掛け部の前部が回動可能に取り付けられていて、上記ヘッドセット本体に対する連結体の起立角度を調節することによって、ヘッドセット本体とそのヘッドセット本体に沿うように姿勢が定められた上記耳掛け部との間隔を増減調節することができるようになっている。
【００１２】
この発明のヘッドセット装置では、ヘッドセット本体と耳掛け部とを単一の回転軸線を有するヒンジを介して直接に連結しているものではなく、ヘッドセット本体と耳掛け部とを、それらの間に介在させた連結体の一端部と他端部とに互いに平行な第１軸及び第２軸を介して各別に回動可能に連結してあるので、耳掛け部を閉じたときと開いたときとの角度差を大きく確保することやその開き角度を大きくすることが容易になり、その結果、多くの人にとっての装着操作性を改善しやすくなる。
【００１３】
また、本発明に係るヘッドセット装置に限らず、この種のヘッドセット装置では、一般的にヘッドセット装置を耳に装着すると、耳介に掛けられた耳掛け部が外耳道開口に臨んだヘッドセット本体に沿う姿勢になる。このようなヘッドセット装置において、ヘッドセット本体と耳掛け部とが単一の回転軸線を備えたヒンジで連結されているに過ぎない従来例や先行例１、先行例２などでは、人の耳の形状に差異があることにより、耳掛け部が無理なくヘッドセット本体に沿う場合とそうでない場合とが顕著に生じるけれども、本発明のように、互いに平行な第１軸と第２軸とを有する連結体を介してヘッドセット本体と耳掛け部とが連結されていて、ヘッドセット本体に対する連結体の起立角度を調節することによって両者の間隔を増減調節することができるようになっていると、連結体の起立角度を適切に調節して人の耳介の厚さやその近辺部分の形状に耳掛け部の姿勢を無理なく合わせることが容易になり、その結果、より多くの人にとっての装着快適性を改善しやすくなる。
【００１４】
本発明では、上記ヘッドセット本体とそのヘッドセット本体に沿うように姿勢が定められた上記耳掛け部との間隔寸法が、耳介の厚さに見合う寸法に定められていることが望ましい。ここでいう「ヘッドセット本体と耳掛け部との間隔寸法が、耳介の厚さに見合う寸法に定められている」とは、ヘッドセット本体と耳掛け部との間隔寸法が人の耳介の厚さと同じ寸法に定められているという意味ではなく、耳介の厚さが人ごとに異なることを勘案した上で、一般人が耳掛け部を耳介の根元部分に掛けてヘッドセット本体の放音部を外耳道開口に臨ませた場合に、ヘッドセット本体と耳掛け部との間隔寸法が、ヘッドセット本体に対し耳掛け部が開いた状態でヘッドセット本体と耳掛け部が耳介を挾圧するような状態にならないように定められているという意味である。具体的には、ヘッドセット本体と耳掛け部とを略平行に沿わせたときの両者の間隔寸法が、厚さの厚い耳介を持つ一般人の耳介の厚さと同等かそれよりもやゝ長い寸法に定められていることが望ましい。このように上記間隔寸法が定められていると、より多くの人にとっての装着操作性と装着快適性の両方が改善されることになる。
【００１５】
本発明では、上記耳掛け部が、耳介の根元部分に沿うように湾曲した合成樹脂製の杆体を有し、その杆体が、外側杆部とその外側杆部の内側に間隔を隔てて位置してその外側杆部よりも弾性に優れた内側杆部とに分割され、かつ、それらの外側杆部と内側杆部との一端部同士及び他端部同士のそれぞれが互いに連結されていることが望ましい。これによれば、耳掛け部に具備された杆体が外側杆部と内側杆部とにより二重化された構造を持ち、内側杆部が合成樹脂に特有の弾性によってクッション性を発揮するようになる。そのため、耳掛け部を耳介の根元部分に掛けたときの圧迫感が内側杆部によって発揮されるクッション性により減少し、そのことが、より多くの人にとっての装着快適性を改善することに役立つだけでなく、人によって異なる耳の大きさや形状の相違を吸収することに役立つ。
【００１６】
本発明では、上記杆体が閉リング状に形成されていて、その周方向の一箇所が上記連結体の他端部に取り付けられていると共に、この杆体と上記連結体との取付け箇所の反対側部位に上記外側杆部と上記内側杆部とが位置していることが望ましい。これによれば、耳掛け部を左側の耳介に掛けた場合も右側の耳介に掛けた場合も、杆体及び杆体と連結体との取付け箇所の位置関係が同じ関係になるので、装着場所として左右の耳を使い分ける場合でも違和感が生じにくくなり、そのことが、より多くの人にとっての装着快適性を改善することに役立つ。
【００１７】
本発明では、上記耳掛け部を耳介の根元部分に掛けて上記ヘッドセット本体の放音部を外耳道開口に臨ませることによって口元に臨まされる集音部を有するマイクアームが、上記ヘッドセット本体に、球体と球体受部とを備えかつ球体の相対回転移動を許容しながらその球体を任意位置で固定する機能を備えるボールジョイントを介して全方位回転可能に連結されていることが望ましい。これによれば、マイクアームの集音部の位置をボールジョイントを中心にして全方位に向けて変更することが可能になるので、使用者にとってそれだけ使い勝手が向上するだけでなく、耳掛け部を掛ける耳介の根元部分を含む耳の形状が人ごとに相違していることによって起こるヘッドセット本体の装着姿勢（傾きなど）に関係なく、マイクアームの集音部の位置を、使用者にとって最も最適に位置させるということが可能になり、より多くの人にとっての装着快適性を改善することに役立つ。
【００１８】
本発明では、上記ボールジョイントの球体と球体受部との互いに重なりあった一対の摺動面のうちの一方がゴム質表面によって形成されていることが望ましく、これによれば、球体と球体受部との間に安価で嵩張らないゴムパッドなどのゴム材を介在させておくだけで、球体の相対回転移動を許容しながらその球体を任意位置で固定する機能をボールジョイントに具備させることが可能になる。そのため、ボールジョイントをコンパクトに構成することが可能になり、そのボールジョイントが嵩張って装着快適性を損なうということがなくなる。
【００１９】
本発明では、上記ヘッドセット本体の放音部に、上記耳掛け部を耳介の根元部分に掛けて上記ヘッドセット本体の放音部を外耳道開口に臨ませたときに、外耳道開口縁に当接してヘッドセット本体の装着安定性を高めるイヤーパッドが装備されていることが望ましい。これによれば、イヤーパッドが外耳道開口縁に当接することによって耳によるヘッドセットの支持点の数が増加して装着安定性が向上し、より多くの人にとっての装着快適性を改善することができる。また、外耳道開口縁にヘッドセット本体の放音部に装備されたイヤーパッドが当接していると、そのイヤーバッドが音漏れを防ぐ機能を発揮する。そのため、外部に不快音が放出されるという状況が改善される。ここで「イヤーパッドが外耳道開口縁に当接する」状態には、イヤーパッドが外耳道に挿入されてその開口縁に当接する状態が含まれる。イヤーバッドには柔軟な発泡樹脂を用いることが可能であり、また、このイヤーパッドを左耳の外耳道と右耳の外耳道とのそれぞれに個別にフィットする左耳及び右耳に専用のものに付け替えて使用するようにすることが可能であり、そのようにしておくと、左右どちらの耳に装着するときでも、より多くの人にとっての装着快適性が改善されるようになる。
【００２０】
【発明の実施の形態】
図１は本発明の実施形態に係るヘッドセット装置の側面図、図２はヘッドセット本体１と耳掛け部６との連結構造を示した概略拡大平面図、図３は外側杆部６２と内側杆部６３との太さないし肉厚の相違を説明するために示した図１のＩＩＩ−ＩＩＩ線に沿う断面図、図４はボールジョイント４の構造を説明するための図１のＩＶ−ＩＶ線に沿う断面図、図５はイヤーバッド３の作用を説明するための使用状態説明図である。
【００２１】
図１において、１はヘッドセット本体で、上下対称な前窄まり形状の枠部２を備えている。このヘッドセット本体１には、スピーカ（不図示）を内蔵するスピーカユニット１１が枠部２の囲繞部に配備されていると共に、その放音部１２にイヤーパッド３が取替え可能に装着されている。このイヤーパッド３は、図５のように人間の耳の外耳道９３に嵌まり込んで外耳道周壁面９４から外耳道開口９５に至る部分に押付け状態で密着し得る柔軟な発泡樹脂で山形に作られている。また、図例のイヤーパッド３は前側の小突起部３１とそれとは間隔を隔てて位置する後側の大突起部３２とに分割されている。これは、イヤーパッド３を人間の耳の外耳道周壁面９４や外耳道開口９５にうまくフィットさせるためであり、他の形状、たとえば円筒状、中実円柱状その他の適宜形状に形成することも可能である。また、イヤーパッド３を左耳の外耳道と右耳の外耳道とのそれぞれに個別にフィットする左耳及び右耳に専用のものとして提供し、ヘッドセット装置を左耳に装着するときには左耳用を用い、ヘッドセット装置を右耳に装着するときには右耳用を用いるようにすることも可能である。なお、図示していないけれども、イヤーパッド３はその柔軟性を利用してヘッドセット本体１に着脱可能とする。たとえば、ヘッドセット本体１の放音側の面の周縁部にイヤーパッド３を嵌脱可能としたり、ヘッドセット本体１の放音側の面に設けた突起にイヤーパッド３を係脱可能としたりすることが可能である。
【００２２】
図１のように、上記枠部２の前端に、ボールジョイント４を介してまっすぐなマイクアーム５が連結されている。マイクアーム５には、その先端に使用者の口元に臨む集音部５１を有している。そして、図４に示したように、上記ボールジョイント４の球体４１がマイクアーム５の基部に一体に連設され、かつ、その球体４１を相対回転自在に保持する球体受部４２が上記枠部２側に設けられている。また、球体４１と球体受部４２との間には、球体受部４２側に貼着などによって保持されたゴム材シートでなるゴムパッド４３が介在されていて、そのゴムパッド４３の肌面であるゴム質表面が、球体４１の表面に常時重なり合って球体４１に対する摺動面４４を形成している。この摺動面４４の相手方摺動面は球体４１の表面である。なお、図例では、ボールジョイント４の球体４１をマイクアーム側に、球体受部４２を枠部２側に設けているけれども、球体４１を枠部２側に、球体受部４２をマイクアーム５側に設けておいてもよい。
【００２３】
上記のボールジョイント４によれば、ヘッドセット本体１又は枠部２に対し、マイクアーム５を、そのボールジョイント４を中心にして、図１の矢印Ｐのように上下方向に揺動させることも、図４の矢印Ｌのように左右方向に揺動させることも可能である。したがって、マイクアーム５は、その基部が球体受部４２の周縁部４２ａによって規制される範囲内で全方位回転可能にヘッドセット本体１に連結されている。
【００２４】
図１において、６は耳掛け部である。この耳掛け部６は、図５に示した人の耳介９１の根元部分９２にほゞ沿う形を持つ閉リング状の杆体６１により形成されていて、その前側部分は直線部６２とされ、その後側部分は円弧状に湾曲している。そして、耳掛け部６を形成している杆体６１の少なくとも上記後側部分は、略円弧状の外側杆部６２とその外側杆部６２の内側に間隔を隔てて位置してその外側杆部６２よりも弾性に優れた略円弧状の内側杆部６３とに分割されていて、それらの外側杆部６２と内側杆部６３との一端部同士及び他端部同士のそれぞれがそれらの延長方向で集合して互いに連結されている。したがって、杆体６１の湾曲した後側部分が外側杆部６２と内側杆部６３とにより二重化されている。また、少なくとも、杆体６１の湾曲した後側部分は合成樹脂で成形されていて、図３のように、外側杆部６２よりも内側杆部６３を細くすることによって、内側杆部６３に外側杆部６２よりも大きな弾性を付与してある。なお、図３に示した外側杆部６２や内側杆部６３の断面形状は例示であって、これらの杆部６２，６３の断面形状は、図５に示した耳介９１の根元部分９２の形状にフィットしやすい形状に定めることがより好ましい。
【００２５】
次に、ヘッドセット本体１と耳掛け部６との連結構造を図２を参照して説明する。この連結構造には、短いリンクを形成する連結体７が用いられている。そして、連結体７の一端部がヘッドセット本体１の枠部２の前部に第１軸７１を介して起倒可能に取り付けられ、かつ、その連結体７の他端部に、第１軸に対して平行な第２軸７２を介して杆体６１の直線状の外側杆部６２が回動可能に取り付けられている。したがって、連結体７は第１軸７１を中心にして図２の矢印ａのようにヘッドセット本体１に対して起倒可能であり、耳掛け部６の杆体６１は第２軸７２を中心にして図２の矢印ｂのように左右に回動可能である。また、第１軸７１や第２軸７２には、連結体７に対するヘッドセット本体１や耳掛け部６の回動を許容しながらそれらのヘッドセット本体１や耳掛け部６を任意位置で固定する機能が備わっている。この機能は、たとえば、第１軸７１や第２軸７２とそれらを支持している軸受孔部との間にゴムパッドを介在させるといった手段で容易に付与することが可能である。
【００２６】
そして、連結体７をヘッドセット本体１に対して略直角に起立させ、かつ、耳掛け部６をヘッドセット帆体１に略平行に沿う姿勢にした状態でのヘッドセット本体１と耳掛け部６の間隔寸法（対向間隔の寸法）が、耳介の厚さに見合う寸法に定められている。すなわち、耳介の厚さが人ごとに異なることを勘案した上で、一般人が図５のように耳掛け部６を耳介９１の根元部分９２に掛けてヘッドセット本体１の放音部１２を外耳道開口９５に臨ませた場合に、ヘッドセット本体１と耳掛け部６との間隔寸法が、ヘッドセット本体１に対し耳掛け部６が開いた状態でヘッドセット本体１と耳掛け部６が耳介９１を挾圧するような状態にならないように定められているという意味である。さらに説明すると、図５のようにヘッドセット本体１と耳掛け部６とを略平行に沿わせたときの両者１，６の間隔寸法が、厚さの厚い耳介９１を持つ一般人の耳介９１の厚さと同等かそれよりもやゝ長い寸法に定められている。
【００２７】
この実施形態のヘッドセット装置において、連結体７の一端部及び他端部の第１軸７１及び第２軸７２を中心として耳掛け部６がヘッドセット本体１に対して開閉可能であるため、耳掛け部６を閉じたときと開いたときとの角度差が大きく確保され、しかも、開き角度が大きくなる。すなわち、耳掛け部６は、ヘッドセット本体１に重なる位置と、ヘッドセット本体１の前側のマイクアーム５に重なる位置との間で開閉可能である。そのため、耳掛け部６を人間の耳介９１の根元部分９２に掛けるときには、耳掛け部６を十分に大きい角度に開き、ヘッドセット１がじゃまにならないようにして人間の耳介９１の根元部分９２に掛けることができるようになり、より多くの人にとっての装着操作性が改善される。
【００２８】
耳掛け部６を耳介９１の根元部分９２に掛けてヘッドセット本体１を外耳道開口９５に臨ませた状態では、連結体７の起立角度を調節してヘッドセット本体１と耳掛け部６との間隔寸法を調節するだけで、耳掛け部６を無理なくヘッドセット本体１に沿わせることができるため、そのようにすることによって、人によって耳介９１の厚さが相違しているとしても、良好な装着快適性が得られる。また、マイクアーム５の位置をボールジョイント４を中心として変えることにより、その集音部５１を使用者に都合よく口元に臨ませることが可能である。
【００２９】
耳掛け部６を耳介９１の根元部分９２に掛けた後、ヘッドセット本体１を第１軸７１又は第２軸７２を中心にして回動させることにより、図５のようにその放音部１２を外耳道開口９５に臨ませると、イヤーパッド３が外耳道周壁面９４から外耳道開口９５に至る部分に押付け状態で密着し、外耳道周壁面９４や外耳道開口９５にうまくフィットするので、ヘッドセット本体１が耳掛け部６を介して耳介９１の根元部分９２によって支えられるほか、イヤーパッド３を介して外耳道周壁面９４や外耳道開口９５によって支えられるため、支持点の数が増えてヘッドセット本体１の装着状態が安定し、ヘッドセット本体１が容易に位置ずれしなくなる。また、イヤーパッド３により音漏れが防止されて周囲の人が不快な音（シャカシャカ音）で迷惑を受けない。
【００３０】
このヘッドセット装置はその形状が上下対称になっているため、左右どちらの耳にも同じ状態で装着することができる。その場合、イヤーパッド３も左耳と右耳とに共用することが可能であるけれども、場合によっては、イヤーパッド３を左耳の外耳道９３と右耳の外耳道９３とのそれぞれに個別にフィットする左耳及び右耳に専用のものとして提供し、ヘッドセット装置を左耳に装着するときには左耳用を用い、ヘッドセット装置を右耳に装着するときには右耳用を用いるようにすることも可能である。また、ヘッドセット装置の形状が上下対称になっていることにより、耳掛け部６を左側の耳介９１に掛けた場合も右側の耳介９１に掛けた場合も、杆体６１及び杆体６１と連結体７との取付け箇所の位置関係が同じ関係になって違和感が生じにくい。
【００３１】
また、図５のように耳に装着した状態では、耳掛け部６の杆体６１の内側杆部６３が合成樹脂に特有の弾性によってクッション性を発揮するため、耳掛け部６を耳介９１の根元部分９２に掛けたときの圧迫感が減少して良好な装着快適性が得られる。
【００３２】
【発明の効果】
以上のように、本発明に係るヘッドセット装置は、人の耳の形状の差異を吸収する性能を機構面から改善することによって、より多くの人にとっての装着操作性や装着快適性を向上させることが可能になった。
【図面の簡単な説明】
【図１】本発明の実施形態に係るヘッドセット装置の側面図である。
【図２】ヘッドセット本体と耳掛け部との連結構造を示した概略拡大平面図である。
【図３】図１のＩＩＩ−ＩＩＩ線に沿う断面図である。
【図４】図１のＩＶ−ＩＶ線に沿う断面図である。
【図５】イヤーバッドの作用を説明するための使用状態説明図である。
【符号の説明】
１　ヘッドセット本体
３　イヤーパッド
４　ボールジョイント
５　マイクアーム
６　耳掛け部
７　連結体
１２　ヘッドセット本体の放音部
４１　球体
４２　球体受部
４４　摺動面
５１　集音部
６１　杆体
６２　外側杆部
６３　内側杆部
７１　第１軸
７２　第２軸
９１　耳介
９２　耳介の根元部分
９５　外耳道開口
【図１】
2004096339.tif 000003
【図２】
2004096339.tif 000004
【図３】
2004096339.tif 000005
【図４】
2004096339.tif 000006
【図５】
2004096339.tif 000007